(57)【特許請求の範囲】
【請求項１】
電路を引き外す引き外し回路部と、電路に流れる電流を検出する電流検出部と、電路の電圧を検出する電圧検出部と、前記電流検出部及び電圧検出部によって検出された電流情報及び電圧情報をデジタル信号に変換するＡＤコンバータと、前記ＡＤコンバータによってデジタル信号に変換された電流情報又は電圧情報に基づいて前記引き外し回路部に引き外し信号を出力する処理部と、を備えた電子式遮断器において、
前記ＡＤコンバータの周辺温度を検出する温度検出部と、
前記温度検出部により検出された周辺温度を基に前記ＡＤコンバータによって変換された電流情報及び電圧情報のうち少なくとも一方を補正する誤差補正部と、
電子式遮断器の電源オン時、又は、ＡＤコンバータの周辺温度が常温と推定されるときを開始時としたときの前記電路に流れる電力量の積算値と前記ＡＤコンバータの周辺温度との関係テーブルと、を備え、
前記ＡＤコンバータの周辺温度は、電路に流れる電力量の基準時からの積算値の増加に比例して上昇し、
前記温度検出部は、前記開始時を積算の基準時として、前記電流情報及び電圧情報から算出される電力量の積算値を求め、前記関係テーブルから定まる、現在のＡＤコンバータの周辺温度を検出温度として出力することを特徴とする電子式遮断器。
【請求項２】
電路を引き外す引き外し回路部と、電路に流れる電流を検出する電流検出部と、電路の電圧を検出する電圧検出部と、前記電流検出部及び電圧検出部によって検出された電流情報及び電圧情報をデジタル信号に変換するＡＤコンバータと、前記ＡＤコンバータによってデジタル信号に変換された電流情報又は電圧情報に基づいて前記引き外し回路部に引き外し信号を出力する処理部と、を備えた電子式遮断器において、
前記ＡＤコンバータの周辺温度を検出する温度検出部と、
前記温度検出部により検出された周辺温度を基に前記ＡＤコンバータによって変換された電流情報及び電圧情報のうち少なくとも一方を補正する誤差補正部と、
単位時間内に電路に流れる電力量の積算値と該積算値の時のＡＤコンバータの温度の上昇、下降値との関係テーブルと、を備え、
前記ＡＤコンバータの周辺温度は、電路に流れる単位時間当たりの電力量の積算値に応じて上昇又は下降し、
前記温度検出部は、電子式遮断器の電源オン時、又は、ＡＤコンバータの周辺温度が常温と推定されるときを開始時として、前記電流情報及び電圧情報から前記単位時間内の電力量の積算値を求め、前記関係テーブルからＡＤコンバータの周辺温度の上昇又は下降値を定め、前記開始時の周辺温度を基準として、前記単位時間毎に前記定めた周辺温度の上昇又は降下値を加算することによって定まる現在のＡＤコンバータの周辺温度を検出温度として出力することを特徴とする電子式遮断器。
【請求項３】
電路の引き外し時に、少なくとも前記温度検出部と処理部とを動作させる電源装置を備えたことを特徴とする請求項１又は請求項２に記載の電子式遮断器。
【請求項４】
前記温度検出部及び処理部の少なくとも一方は、電路の引き外し時に動作周期を長くすることを特徴とする請求項３に記載の電子式遮断器。
【請求項５】
不揮発性の記憶部と、時刻を取得する時刻情報取得部と、を備え、
前記記憶部は、前記積算値と、前記時刻情報取得部により取得された時刻情報とを記憶することを特徴とする請求項１又は請求項２に記載の電子式遮断器。
【請求項６】
前記処理部は、前記電流情報及び電圧情報が電路の引き外し条件を満足する直前での前記検出温度を前記記憶部に書き込むことを特徴とする請求項５に記載の電子式遮断器。
【発明の詳細な説明】
【技術分野】
【０００１】
本発明は、電路の電流情報と電圧情報に基づいて電路を引き外す電子式遮断器に関する。
【背景技術】
【０００２】
従来の電子式遮断器の一構成を図６に示す。電子式遮断器１０１は、電路１１１に配せられ外部電源１１２と電子式遮断器１０１を接続する接点１１３と、接点１１３により電路１１１を引き外す引き外し回路部１０２と、電路１１１に流れる電流を検出する電流検出部１０３と、電路１１１の電圧を検出する電圧検出部１０４と、電流検出部１０３と電圧検出部１０４から電流情報と電圧情報を取得してデジタル信号に変換して出力するＡＤコンバータ部１６１と、ＡＤコンバータ部１６１からの電流情報と電圧情報に基づいて引き外し回路部１０２に引き外し信号を出力する処理部１６３と、処理部１６３等へ電源を供給する電源回路１０５と、電流情報等を表示する表示部１０８と、を備えている。
【０００３】
電流検出部１０３は電路１１１の電流を検出し、電流情報Ｉｔ、Ｉｓ、ＩｒをＡＤコンバータ１６１へ出力する。電圧検出部１０４は電路１１１の電圧を検出し、電圧情報Ｖｓｔ、ＶｒｓをＡＤコンバータ１６１へ出力する。ＡＤコンバータ１６１は取得した電流情報と電圧情報をデジタル変換して処理部１６３へ出力し、処理部１６３は、取得した情報に基づいて短絡や過電流や過不足電圧等の異常を判断し、異常と判断した場合には、引き外し回路部１０２に引き外し信号を出力し、電路１１１を引き外す。処理部１６３は、また、取得した電流情報と電圧情報から電力を算出し、電力情報、電流情報、及び異常情報等をＲＳ４８５やイーサネット等によって表示部１０８へ出力する。表示部１０８は、ＬＥＤや液晶によって取得した情報を表示する。
【０００４】
図７は、電子式遮断器１０１に求められる電流検出性能を示す。横軸は電流の大きさを示し、縦軸は引き外しの動作時間を示す。電流検出は短絡領域と過電流領域の２種類を検出する必要があり、短絡領域ではある一定時間以内に引き外さなければならず、過電流領域では、過電流レベルに応じた引き外し時間に引き外さなければならない。また、電圧検出では、過電圧と不足電圧に条件があり、電圧のレベルに応じて引き外しを行うまでの時間が異なる。処理部１６３は、電流と電圧のそれぞれの条件に基づいて引き外し信号を出力する。
【０００５】
このような電子式遮断器において、電力計測を行わない電子式遮断器では、最も検出精度が要求される過電流検出時でさえ、定格電流に対して±１０％程度の精度で十分である。しかし、電力計測を行う場合には、定格電流値に対して、無効級の場合に誤差±２．５％以下、普通級の場合に誤差±２％以下、精密級の場合に誤差±１．０％以下という高精度が要求される。
【０００６】
そのために、ＡＤコンバータ１６１によってデジタル信号に変換されたＡＤ変換値の誤差が問題となる。例えば、低コストの１０ビットのＡＤコンバータを使用する場合は、一般にＡＤコンバータの絶対誤差は、±３ＬＳＢ以下、または±５ＬＳＢ以下である。絶対誤差が±５ＬＳＢの場合、±約０．５％（＝５／１０２４＊１００  ［％］）の誤差となる。この誤差に回路ブロックの誤差や演算による誤差も考慮すると、電力計に求められる精度を満足することができない。また、電子式遮断器にビット数が大きく高性能なＡＤコンバータを用いると、誤差は小さくなるが高コストになる。
【０００７】
また、上記したＡＤコンバータの誤差をマイコンによって補正する誤差補正装置が知られている（例えば特許文献１参照）。
【０００８】
しかしながら、特許文献１に示されるような誤差補正装置を電子式遮断器に用いると、マイコン等によって補正回路を構成しなければならず、高コストになる。
【特許文献１】特開２００１−３３９３０７号公報
【発明の開示】
【発明が解決しようとする課題】
【０００９】
本発明は、上記問題を解消するものであり、ＡＤコンバータの周辺温度を検出してＡＤ変換値を補正することにより、高価なＡＤコンバータを用いるより低コストで電力量の計測誤差が小さい電子式遮断器を提供することを目的とする。
【課題を解決するための手段】
【００１０】
上記目的を達成するために請求項１の発明は、電路を引き外す引き外し回路部と、電路に流れる電流を検出する電流検出部と、電路の電圧を検出する電圧検出部と、前記電流検出部及び電圧検出部によって検出された電流情報及び電圧情報をデジタル信号に変換するＡＤコンバータと、前記ＡＤコンバータによってデジタル信号に変換された電流情報又は電圧情報に基づいて前記引き外し回路部に引き外し信号を出力する処理部と、を備えた電子式遮断器において、前記ＡＤコンバータの周辺温度を検出する温度検出部と、前記温度検出部により検出された周辺温度を基に前記ＡＤコンバータによって変換された電流情報及び電圧情報のうち少なくとも一方を補正する誤差補正部と、電子式遮断器の電源オン時、又は、ＡＤコンバータの周辺温度が常温と推定されるときを開始時としたときの前記電路に流れる電力量の積算値と前記ＡＤコンバータの周辺温度との関係テーブルと、を備え、前記ＡＤコンバータの周辺温度は、電路に流れる電力量の基準時からの積算値の増加に比例して上昇し、前記温度検出部は、前記開始時を積算の基準時として、前記電流情報及び電圧情報から算出される電力量の積算値を求め、前記関係テーブルから定まる、現在のＡＤコンバータの周辺温度を検出温度として出力するものである。
【００１２】
請求項２の発明は、電路を引き外す引き外し回路部と、電路に流れる電流を検出する電流検出部と、電路の電圧を検出する電圧検出部と、前記電流検出部及び電圧検出部によって検出された電流情報及び電圧情報をデジタル信号に変換するＡＤコンバータと、前記ＡＤコンバータによってデジタル信号に変換された電流情報又は電圧情報に基づいて前記引き外し回路部に引き外し信号を出力する処理部と、を備えた電子式遮断器において、前記ＡＤコンバータの周辺温度を検出する温度検出部と、前記温度検出部により検出された周辺温度を基に前記ＡＤコンバータによって変換された電流情報及び電圧情報のうち少なくとも一方を補正する誤差補正部と、単位時間内に電路に流れる電力量の積算値と該積算値の時のＡＤコンバータの温度の上昇、下降値との関係テーブルと、を備え、前記ＡＤコンバータの周辺温度は、電路に流れる単位時間当たりの電力量の積算値に応じて上昇又は下降し、前記温度検出部は、電子式遮断器の電源オン時、又は、ＡＤコンバータの周辺温度が常温と推定されるときを開始時として、前記電流情報及び電圧情報から前記単位時間内の電力量の積算値を求め、前記関係テーブルからＡＤコンバータの周辺温度の上昇又は下降値を定め、前記開始時の周辺温度を基準として、前記単位時間毎に前記定めた周辺温度の上昇又は降下値を加算することによって定まる現在のＡＤコンバータの周辺温度を検出温度として出力するものである。
【００１３】
請求項３の発明は、請求項１又は請求項２に記載の電子式遮断器において、電路の引き外し時に、少なくとも前記温度検出部と処理部とを動作させる電源装置を備えたものである。
【００１４】
請求項４の発明は、請求項３に記載の電子式遮断器において、前記温度検出部及び処理部の少なくとも一方は、電路の引き外し時に動作周期を長くするものである。
【００１５】
請求項５の発明は、請求項１又は請求項２に記載の電子式遮断器において、不揮発性の記憶部と、時刻を取得する時刻情報取得部と、を備え、前記記憶部は、前記積算値と、前記時刻情報取得部により取得された時刻情報とを記憶するものである。
【００１６】
請求項６の発明は、請求項５に記載の電子式遮断器において、前記処理部は、前記電流情報及び電圧情報が電路の引き外し条件を満足する直前での前記検出温度を前記記憶部に書き込むものである。
【発明の効果】
【００１７】
請求項１の発明によれば、誤差補正部は、温度検出部によって検出されたＡＤコンバータの周辺温度に基づきＡＤ変換値の誤差を補正するので、電力量の計測誤差を小さくすることができる。また、従来の構成に温度検出部と誤差補正部を追加するだけで、ＡＤ変換値の温度に起因する誤差を補正することができ、簡単な構成で済み、低コストとなる。また、温度センサを用いずに電流情報や電力情報から温度を推定するで、温度センサが不要となり電子式遮断器を低コストにすることができる。
【００１９】
請求項２の発明によれば、誤差補正部は、温度検出部によって検出されたＡＤコンバータの周辺温度に基づきＡＤ変換値の誤差を補正するので、電力量の計測誤差を小さくすることができる。また、従来の構成に温度検出部と誤差補正部を追加するだけで、ＡＤ変換値の温度に起因する誤差を補正することができ、簡単な構成で済み、低コストとなる。また、定められた時間内の電流情報や電力情報の積算値を基に温度の上昇及び下降を推定するので、推定温度の精度が良くなる。これにより、ＡＤ変換値の温度に起因する誤差を補正して、電力量の計測誤差を小さくすることができる。
【００２０】
請求項３の発明によれば、電路が引き外された時にも温度検出部と処理部が動作し、放熱による温度下降時のＡＤコンバータの周辺温度を推定することができる。このことにより、電子式遮断器の動作再開時もＡＤコンバータの周辺温度を推定することができるので、ＡＤ変換値の温度に起因する誤差を補正して、電力量の計測誤差を小さくすることができる。
【００２１】
請求項４の発明によれば、温度検出部及び処理部の消費電力が小さくなるので、電源装置の電源容量を小さくすることができ、電子式遮断器を低コストにすることができる。
【００２２】
請求項５の発明によれば、電路が引き外された時にも引き外される前の電流又は電力の積算値と時刻情報が記憶されているので、電路が閉じられて電子式遮断器が動作を回復した時に、引き外される直前の温度を推定し、その推定温度と引き外し時刻と、回復時の時刻から温度の低下量を推定し、この推定から回復時のＡＤコンバータの周辺温度を推定することができる。これにより、ＡＤ変換値の温度に起因する誤差を補正して、電力量の計測誤差を小さくすることができる。
【００２３】
請求項６の発明によれば、電路が引き外される直前の電流又は電力の積算値と時刻情報が記憶されているので、請求項５と同様の効果を得ることができる。また、記憶部への書き込み回数が請求項５の電子式遮断機より少ないので、記憶部の寿命が長くなり、記憶部を更新する手間が少なくなる。
【発明を実施するための最良の形態】
【００２４】
（第１の実施形態）
本発明の第１の実施形態に係る電子式遮断器について図面を参照して説明する。図１は、電子式遮断器の構成を示す。電子式遮断器１は、電路１１に配せられ外部電源１２と電子式遮断器１を接続する接点１３と、接点１３により電路１１を引き外す引き外し回路部２と、電路１１に流れる電流を検出する電流検出部３と、電路の電圧を検出する電圧検出部４と、電流検出部３や電圧検出部４等に電源を供給する電源回路５と、を備えている。また、電子式遮断器１は、電流検出部３と電圧検出部４が検出した電流情報と電圧情報を取得してデジタル信号に変換して出力するＡＤコンバータ６１と、ＡＤコンバータ６１の周辺温度を検出する温度検出部７と、ＡＤコンバータ６１が出力したデジタル信号を補正する誤差補正部６２と、補正された電流情報と電圧情報とに基づいて引き外し回路部２に引き外し信号を出力すると共に通電情報を出力する処理部６３と、通電情報を表示する表示部８と、を備えている。また、ＡＤコンバータ６１と誤差補正部６２と処理部６３は演算回路６を構成する。
【００２５】
電子式遮断器１は、３相配電方式であり、電源回路５は、電路１１の配線Ｔ、Ｓ、Ｒの３線のうち、例えば配線Ｒ−Ｓ間と配線Ｓ−Ｔ間の２組の線間電圧を基に駆動電源を作成する。電流検出部３は電路１１の配線Ｔ、Ｓ、Ｒに配された変流器３１によって電流を検出し、電流情報Ｉｔ、Ｉｓ、ＩｒをＡＤコンバータ６１へ出力する。電圧検出部４は電路１１の配線Ｓ−Ｔ間と配線Ｒ−Ｓ間の線間電圧を検出し、電圧情報Ｖｓｔ、ＶｒｓをＡＤコンバータ６１へ出力する。ＡＤコンバータ６１は取得した電流情報及び電圧情報をデジタル信号に変換したＡＤ変換値を出力する。温度検出部７は温度センサを有している。
【００２６】
誤差補正部６２は、ＡＤコンバータ６１から取得した電流情報及び電圧情報のＡＤ変換値を温度検出部７が検出した温度に基づいて補正し、処理部６３へ出力する。処理部６３は、取得した電流情報と電圧情報に基づいて短絡や過電流等の通電異常を判断し、引き外し回路部２に引き外し信号を出力する。引き外し回路部２は、処理部６３からの引き外し信号を受けると接点１３を開にして電路１１を引き外す。処理部６３は、また、電流情報と電圧情報に基づいて電力情報を算出し、電流情報、電力情報、及び通電異常等をＲＳ４８５やイーサネット等によって表示部８へ出力する。表示部８は、ＬＥＤや液晶等を有しており取得した情報を表示する。
【００２７】
上記のように構成された電子式遮断器１の動作について説明する。電流検出部３は、電路１１の電流を検出して電流情報をＡＤコンバータ６１へ出力し、電圧検出部４は電路１１の線間電圧を検出して電圧情報をＡＤコンバータ６１へ出力する。ＡＤコンバータ６１は取得した電流情報及び電圧情報をデジタル信号のＡＤ変換値に変換し誤差補正部６２に出力する。また、温度検出部７は温度センサによってＡＤコンバータ６１周辺の温度を検出し、誤差補正部６２に出力する。誤差補正部６２は、ＡＤコンバータ６１から取得した電流情報及び電圧情報のＡＤ変換値を温度検出部７が検出した温度に基づいて補正し、処理部６３へ出力する。取得した処理部６３は、電流情報と電圧情報に基づいて電力情報を算出し、電流情報、電力情報、及び通電異常等の通電情報を表示部８に表示する。処理部６３は、また、電流情報と電圧情報に基づいて通電異常を判断し、異常と判断した場合には、引き外し回路部２に引き外し信号を出力する。
【００２８】
次に、誤差補正部６２が行うＡＤ変換値の誤差の補正について図２を参照して説明する。図２は、ＡＤコンバータのＡＤ変換の絶対精度の例を示す。このＡＤコンバータは、例えば１０ビットで、入力電圧が０〜５Ｖである。横軸は、ＡＤ変換値を示し、縦軸は、ＡＤ変換値の誤差をＬＳＢで示す。図中の実線Ａは、ＡＤコンバータの周辺温度が２５℃と場合の誤差を、点線Ｂは８５℃の場合の誤差を示す。温度の高いほうが、ＡＤ変換値の誤差が大きくなっている。
【００２９】
ＡＤコンバータの周辺温度が８５℃の場合、入力電圧が５Ｖであると、本来ならＡＤ変換値１０２４が出力されるが、１ＬＳＢ低いＡＤ変換値１０２３が出力される。すると、５（Ｖ）×１０２３／１０２４＝４．９９５（Ｖ）となり、５ｍＶ低い電圧が入力されたと誤認する。従って、誤差補正部は、８５℃においてＡＤコンバータからＡＤ変換値１０２３を取得した場合は、１ＬＳＢを加えて補正を行う。
【００３０】
誤差補正部６２は、ＡＤコンバータ６１の各温度毎におけるＡＤ変換値毎の誤差量を記憶しており、上述したように温度検出部７が検出した温度に基づいてＡＤ変換値の誤差の補正を行う。また、誤差補正部６２は、温度及びＡＤ変換値と誤差の関係式を記憶し、関係式から誤差量を算出し、補正を行ってもよい。このように、誤差補正部６２は、各温度におけるＡＤ変換値毎の誤差量を記憶し、又は算出し、温度検出部７によって検出されたＡＤコンバータ６１の周辺温度に基づきＡＤ変換値の誤差を補正するので、電力量の計測誤差を小さくすることができる。また、従来の電子式遮断器の構成に温度検出部７と誤差補正部６２を追加するだけで、ＡＤ変換値の温度に起因する誤差を補正することができ、簡単な構成で済み、低コストとなる。
【００３１】
（第２の実施形態）
本発明の第２の実施形態に係る電子式遮断器について図３を参照して説明する。図３において図１における電子式遮断器と同一の構成部に同一番号を付し、説明を略す。本実施形態の電子式遮断器１は、温度推定部７１を有する温度検出部７を備えている。温度推定部７１は、電路１１の電力の積算値からＡＤコンバータ６１の周辺温度を推定する。
【００３２】
このように構成された電子式遮断器１の動作について説明する。処理部６３は電流情報と電圧情報から電力を算出し、算出した電力を温度推定部７１に出力する。温度推定部７１は取得した電力を積算し、積算値からＡＤコンバータ６１の周辺温度を推定して、誤差補正部６２へ出力する。下記の表１は、電力量の積算値毎におけるＡＤコンバータ６１の周辺の推定温度を示す。電力量の積算値は所定の電力量を１とした指数で表している。そして、例えば、電子式遮断器１がオンになったときや、ＡＤコンバータ６１の周辺温度が常温と推定されるときを積算開始の基準時として、温度推定部７１は電力量の積算を行い、表１からＡＤコンバータ６１の周辺温度を推定して、誤差補正部６２へ出力する。誤差補正部６２は、取得した温度から第１の実施形態と同様にＡＤ変換値の補正を行う。また、電流の積算値によってＡＤコンバータ６１の周辺温度を推定してもよい。このように、温度センサを用いずに電流情報や電力情報からＡＤコンバータ６１の周辺温度を推定するので、温度センサが不要となり電子式遮断器１を低コストにすることができる。
【００３３】
【表１】
0005279230.tif 000002
【００３４】
次に、第２の実施形態に係る電子式遮断機の変形例について説明する。本変形例の電子式遮断器１は、温度推定部７１における温度の推定方法が第２の実施形態と異なる。温度推定部７１は、単位時間内における電力量の積算値からその時間内での温度上昇又は温度下降の温度変動量を推定し、基準となる時の温度に推定した温度変動量を加算することにより、ＡＤコンバータ６１の周辺温度を推定する。
【００３５】
下記の表２は、単位時間内の電力量の積算値毎の温度上昇又は温度下降の推定値を示す。単位時間は例えば１分であり、また、電力量の積算値は所定の電力量を１とした指数で表している。そして、例えば、電子式遮断器がオンになったときや、ＡＤコンバータ６１の周辺温度が常温と推定されるときを温度推定の開始の基準時として、単位時間内の電力量の積算値から推定した温度変化量を常温に加算していき、ＡＤコンバータ６１の周辺温度の推定を行う。このときに、例えば、加算する前の温度が常温であるときには、電力量積算値が０であっても推定温度を低下しないというような調整を行ってもよい。また、単位時間内の電流の積算値によってＡＤコンバータ６１の周辺温度を推定してもよい。定められた時間内の電流情報や電力情報の積算値を基に温度の上昇及び下降を推定するので、推定温度の精度が良くなる。これにより、ＡＤ変換値の温度に起因する誤差を補正して、電力量の計測誤差を小さくすることができる。
【００３６】
【表２】
0005279230.tif 000003
【００３７】
（第３の実施形態）
本発明の第３の実施形態に係る電子式遮断器について図４を参照して説明する。図４において、図１における電子式遮断器と同一の構成部に同一番号を付し、説明を略す。本実施形態の電子式遮断器１は、第１の実施形態の電子式遮断器の構成に加えて非常用電源回路８１を備えている。非常用電源回路８１は、例えば蓄電池であり、電源回路５から蓄電し、接点１３が引き外されたときに、処理部６３と温度推定部７１に電源を供給する。非常用電源回路８１は、電池であってもよいし、また、外部電源から電源供給を受けてもよい。
【００３８】
このように構成された電子式遮断器１の動作について説明する。電路１１が引き外されて、電源回路５からの電源供給が停止すると、処理部６３と温度推定部７１は、非常用電源回路８１からの電源により動作を維持し、ＡＤコンバータ６１の周辺温度の推定を続ける。電路１１が引き外された時にも温度検出部７と処理部６３が動作し、放熱による温度下降時のＡＤコンバータ６１の周辺温度を推定することができる。このことにより、電子式遮断器１の動作再開時もＡＤコンバータ１の周辺温度を推定することができる。これにより、ＡＤ変換値の温度に起因する誤差を補正して、電力量の計測誤差を小さくすることができる。
【００３９】
非常用電源回路８１の容量は、ＡＤコンバータ６１の周辺温度が常温に低下するまでの間、電源を供給できる大きさでよい。常温まで低下すれば、その後、温度はあまり変化しないので、電子式遮断機１の動作を再開するときに、ＡＤコンバータ６１の周辺温度を常温と推定すればよい。
【００４０】
次に、第３の実施形態に係る電子式遮断機の変形例について説明する。本変形例の電子式遮断器１は、処理部６３と温度推定部７１の動作が第３の実施形態と異なる。本変形例の処理部６３と温度推定部７１は、電路１１が引き外されて非常用電源回路８１の電源によって動作するときに、動作周期を長くする。電路１１が引き外されると、処理部６３での電力の算出や、温度推定部７１での温度推定の頻度は少なくてよく、引き外しの判断も不要となり、動作周期を長くすることができる。このように、動作周期が長くなり、温度検出部及び処理部の消費電力が小さくなるので、電源装置の電源容量を小さくすることができ、電子式遮断器を低コストにすることができる。
【００４１】
（第４の実施形態）
本発明の第３の実施形態に係る電子式遮断器について図５を参照して説明する。図５において、図３における電子式遮断器と同一の構成部には同一番号を付し、説明を略す。本実施形態の電子式遮断器１は、第２の実施形態の構成に加えて時刻情報取得部８２と不揮発性記憶部８３を備えている。時刻情報取得部８２は時刻を出力し、不揮発性記憶部８３は推定温度と時刻のデータを記憶する。不揮発性記憶部８３は、例えばＥＥＰＲＯＭであり、ＦＲＡＭやＦＲＯＭ等でもよい。
【００４２】
このように構成された電子式遮断器１の動作について説明する。処理部６３は、定期的に、不揮発性記憶部８３にＡＤコンバータ６１の周辺温度の推定温度と時刻のデータを記憶する。そして、電路１１が引き外された後に回復したときに、引き外される直前の推定温度と時刻と、回復時の時刻から温度の低下量を推定することができるので、回復時のＡＤコンバータ６１の周辺温度を推定することができる。これにより、ＡＤ変換値の温度に起因する誤差を補正して、電力量の計測誤差を小さくすることができる。また、不揮発性記憶部８２は、上述した第２の実施形態やその変形例における電力量の積算値や電流の積算値を記憶し、ＡＤコンバータ６１の周辺温度の推定を行なってもよい。第４の実施形態と同様の効果を得ることができる。
【００４３】
次に、第４の実施形態に係る電子式遮断機の変形例について説明する。本変形例の電子式遮断器１は、処理部６３の動作が第４の実施形態と異なる。処理部６３は、引き外し信号を出力する直前に、推定温度と時刻のデータを時刻情報取得部８２に記憶する。例えば、過電流での引き外し条件において、定格電流の１２５％の電流での電路遮断時間が８０００秒であるとき、１２５％の電流が７９９９秒流れた時点において、電路が引き外されるものとして、その時点での推定温度と時刻のデータを不揮発性記憶部８３に記憶する。引き外し条件に達せずに引き外されなかった場合には、記憶したデータは無効とする。そして、接点１３が引き外された後に回復したときに、引き外される直前の推定温度と時刻と、回復時の時刻から温度の低下量を推定し、回復時のＡＤコンバータ６１の周辺温度を推定することができるので、ＡＤ変換値の誤差が小さくなり、電力量の計測誤差を小さくすることができる。また、不揮発性記憶部８３への書き込み回数が第４の実施形態より少ないので、不揮発性記憶部８３の寿命が長くなり、不揮発性記憶部８２を交換する手間が少なくなると共に消費電力も少なくなる。
【００４４】
なお、本発明は、上記各種実施形態の構成に限られず、発明の趣旨を変更しない範囲で種々の変形が可能である。例えば、演算回路６をＩＣとしてもよいし、演算回路６と温度推定部７１等をＩＣとしてもよい。ＩＣ化していない場合と同様の効果を得ることができる。
【図面の簡単な説明】
【００４５】
【図１】本発明の第１の実施形態に係る電子式遮断器の構成図。
【図２】同電子式遮断器におけるＡＤコンバータのＡＤ変換の絶対精度を示す図。
【図３】本発明の第２の実施形態に係る電子式遮断器の構成図。
【図４】本発明の第３の実施形態に係る電子式遮断器の構成図。
【図５】本発明の第４の実施形態に係る電子式遮断器の構成図。
【図６】従来の電子式遮断器の構成図。
【図７】電子式遮断器に求められる電流検出性能を示す図。
【符号の説明】
【００４６】
１  電子式遮断機
１１  電路
２  引き外し回路部
３  電流検出部
４  電圧検出部
６１  ＡＤコンバータ（ＡＤコンバータ部）
６２  誤差補正部
６３  処理部
７  温度検出部
８１  非常用電源回路（電源装置）
８２  時刻情報取得部
８３  不揮発性記憶部（記憶部）
【図１】
0005279230.tif 000004
【図２】
0005279230.tif 000005
【図３】
0005279230.tif 000006
【図４】
0005279230.tif 000007
【図５】
0005279230.tif 000008
【図６】
0005279230.tif 000009
【図７】
0005279230.tif 000010